(57)【特許請求の範囲】
【請求項１】
プログラム情報と識別情報とが記録された記録媒体を複数個収納可能な収納手段と、
この収納手段から所定の前記記録媒体を選択する選択手段と、
前記選択手段により選択された記録媒体から前記プログラム情報と前記識別情報とを読み取る読取り手段と、
この読取り手段により読み取られたプログラム情報と識別情報とを記憶する記憶手段と、
この記憶手段に記憶されているプログラム情報を順次復調する復調手段とを備えたディスクチェンジャーにおいて、
前記選択手段によって選択された第１の記録媒体から読み込まれ前記記憶手段に記憶されたプログラム情報が前記復調手段により復調中であり、且つ当該記憶手段に記憶されているプログラム情報の情報量が所定値以下に達するまでの間に前記読取り手段によって前記収納手段に収納された他の記録媒体の識別情報を読み取るように、少なくとも前記選択手段及び読取り手段を制御する識別情報読取り制御手段が具備されていることを特徴とするディスクチェンジャー。
【請求項２】
前記所定値は、前記読取り手段が前記第１の記録媒体の読み取り再開に要する時間に応じて設定されることを特徴とする請求項１に記載のディスクチェンジャー。
【請求項３】
前記読取り手段は、前記第１の記録媒体から読み取られ前記記憶手段に記憶されるプログラム情報の情報量がある一定値以上蓄積されると、当該情報量が前記復調手段による復調により所定値以下に達するまでの間、前記第１の記録媒体からのプログラム情報の読み取り動作を一時停止し、前記記憶手段に記憶されたプログラム情報の情報量が所定値以下に達すると、前記第１の記録媒体からのプログラム情報の読み取りを再開するように制御されており、
前記識別情報読取り制御手段は、この読取り手段による前記一時停止の期間中に、前記選択手段によって一時的に前記収納手段に収納された他の記録媒体を選択し、前記読取り手段によって当該他の記録媒体の識別情報を読み取って前記記憶手段に記憶するよう制御することを特徴とする請求項１記載のディスクチェンジャー。
【発明の詳細な説明】
【０００１】
【産業上の利用分野】
本発明は、複数のディスクのＴＯＣ情報を読み取った後のディスク再生までの間の時間を短縮するようにしたディスクチェンジャーに関する。
【０００２】
【従来の技術】
近年、複数のＣＤを連続して演奏することができるマルチタイプＣＤプレーヤ（以下、単にＣＤプレーヤという）が普及している。カー用及びホーム用のプレーヤの基本的な構造は、共に類似する部分が多い。
【０００３】
大きな相違点として、カー用のＣＤプレーヤに注目すると、自動車内での使用という特殊な条件から、設置スペースの確保、湿度、振動、ほこり、操作性等について考慮されている。
【０００４】
図１は、このようなＣＤプレーヤの構成を簡単に示すものである。
プレーヤ本体１内部には、複数のディスクを収容可能とするマガジン２が装填された状態で再生モードが選択されると、回動自在に配設されたディスク選択部材３によってマガジン２内部の最上段位置のトレイから順に再生位置側に僅かに押し出される。押し出されたトレイ内のディスクの有無がセンサ４によって検出されると、再びマガジン２内部に戻される。
【０００５】
センサ４による全てのトレイ内のディスクの有無検出が終了すると、ディスクを収容している最上段位置側のトレイから順に再生位置側に押し出され、ディスククランプが行われた後にＴＯＣ情報が読み取られる。読み取られたＴＯＣ情報は、プレーヤ本体１内部に設けられているメモリ（ＲＡＭ）に記憶されるようになっている。全てのディスクのＴＯＣ情報が読み取られると、通常再生モードでは、マガジン２の最上段に位置するトレイが再度ディスク再生位置側に押し出され、ディスク再生が行われるようになっている。
【０００６】
このようなディスク再生方法を模式的に表すと図２に示すようになる。
また、他のディスク再生方法として、通常再生モードでは、マガジン２内部の最上段位置にあるトレイ内のディスクが検出されると、その状態からトレイが再生位置側に送り出され、クランプ状態でＴＯＣ情報が読み取られた後、ディスク再生が行われる。２枚目以降のディスクのＴＯＣ情報は、前のディスク再生が終了した後に引続き読み取られるようになっている。
【０００７】
【発明が解決しようとする課題】
このように、上述した従来のＣＤプレーヤでは、ディスク交換等に伴うマガジン２の再装填時においてのＴＯＣ情報の読取り方法の一つとして、マガジン２内の全てのトレイに対してのディスク有無の検出を行い、次いで全てのディスクに対してのＴＯＣ情報の読取りを行い、その後１枚目のディスクから順に再生に移行する方法がある。
【０００８】
また、他のＴＯＣ情報の読取り方法として、１枚目のディスクのＴＯＣ情報を読み取ってディスク再生を行った後、２枚目のディスクのＴＯＣ情報の読み取りに移り、以降、同様にしてＴＯＣ情報の読み取りとディスク再生が繰り返される。
【０００９】
このため、前者の方法では、ディスク再生が行われるまでに、全てのトレイに対してのディスク有無の検出と全てのディスクに対してのＴＯＣ情報の読み取りとが必要とされるため、１枚目のディスクが再生されるまでに時間が掛かってしまうという不具合があった。
【００１０】
一方、後者の方法では、１枚目のディスク再生までは上記方法に比べて短時間で済むものの、２枚目以降はディスク再生前にＴＯＣ情報の読み取りが行われるためにトータル的にディスクが再生されるまでに時間が掛かってしまうという不具合があった。
【００１１】
本発明は、このような事情に対処してなされたもので、ディスク交換等に伴うマガジン交換時におけるディスク再生のレスポンスを向上させることができるディスクチェンジャーを提供することを目的とする。
【００１２】
【課題を解決するための手段】
本発明のディスクチェンジャーは、上記目的を達成するために、第１には、プログラム情報と識別情報とが記録された記録媒体を複数個収納可能な収納手段と、この収納手段から所定の前記記録媒体を選択する選択手段と、前記選択手段により選択された記録媒体から前記プログラム情報と前記識別情報とを読み取る読取り手段と、この読取り手段により読み取られたプログラム情報と識別情報とを記憶する記憶手段と、この記憶手段に記憶されているプログラム情報を順次復調する復調手段とを備えたディスクチェンジャーにおいて、前記選択手段によって選択された第１の記録媒体から読み込まれ前記記憶手段に記憶されたプログラム情報が前記復調手段により復調中であり、且つ当該記憶手段に記憶されているプログラム情報の情報量が所定値以下に達するまでの間に前記読取り手段によって前記収納手段に収納された他の記録媒体の識別情報を読み取るように、少なくとも前記選択手段及び読取り手段を制御する識別情報読取り制御手段が具備されていることを特徴とする。
第２には、この特徴を前提として、前記所定値は、前記読取り手段が前記第１の記録媒体の読み取り再開に要する時間に応じて設定されることを特徴とする。第３には、上記の特徴を前提として、前記読取り手段は、前記第１の記録媒体から読み取られ前記記憶手段に記憶されるプログラム情報の情報量がある一定値以上蓄積されると、当該情報量が前記復調手段による復調により所定値以下に達するまでの間、前記第１の記録媒体からのプログラム情報の読み取り動作を一時停止し、前記記憶手段に記憶されたプログラム情報の情報量が所定値以下に達すると、前記第１の記録媒体からのプログラム情報の読み取りを再開するように制御されており、前記識別情報読取り制御手段は、この読取り手段による前記一時停止の期間中に、前記選択手段によって一時的に前記収納手段に収納された他の記録媒体を選択し、前記読取り手段によって当該他の記録媒体の識別情報を読み取って前記記憶手段に記憶するよう制御することを特徴とする。
【００１３】
【作用】
本発明のディスクチェンジャーでは、複数の記録媒体を再生する際、読取り手段により読み取られた再生中の記録媒体（第１の記録媒体）のプログラム情報を記憶手段に記憶させ、復調手段によって順次復調させるとともに、記憶手段に記憶されている情報量が所定値以下に達するまでの間に、識別情報読取り制御手段によって他の記録媒体の識別情報の読み取りを行わせるようにしたものである。
【００１４】
したがって、１枚目の記録媒体の情報復調を中断することなしに、他の記録媒体の識別情報の読取りが可能となるので、ディスク交換等に伴うマガジン交換時におけるディスク再生のレスポンスが向上する。
【００１５】
【実施例】
以下、本発明の実施例の詳細を図面に基づいて説明する。
図３は、本発明のディスクチェンジャーをＭＤ（ミニディスク）チェンジャーに適用した場合の一実施例を示すものである。同図に示すように、ＭＤチェンジャーには、ＭＤ１２を複数枚収納可能な収納部１０が設けられている。ここで、ＭＤ（ミニディスク）は、情報量がＣＤ（コンパクトディスク）の約１／５の０．３Ｍｂｉｔ／ｓまで圧縮されたものであり、ＣＤと同じ７４分の録音再生が可能とされた記録媒体である。また、情報量は、ＡＴＲＡＣ（Adaptive TRansform
Acoustic Coding）によって圧縮されている。
【００１６】
収納部１０に収納されているＭＤ１２のいずれかは、選択機構１１によってピックアップ１３が待機している再生位置側に押し出されるようになっている。
ピックアップ１３によって読み取られたプログラム情報である音楽情報は、メモリ１４に記憶された後、順次、ＡＴＲＡＣデコーダである復調部１５側に送出され、この復調部１５にてＡＴＲＡＣの圧縮が解かれて復調出力とされる。更に、この復調出力は、Ｄ／ＡコンバータによってＤ／Ａ変換されるようになっている。
【００１７】
読取り制御部１６は、ピックアップ１３による読取り動作等を制御するものであり、１枚目のＭＤ１２の再生中に２枚目のＭＤ１２の識別情報であるＴＯＣ情報を読み取るように制御する。すなわち、メモリ１４は、半導体メモリを用いたものであって耐震性を格段に向上させたものであり、ピックアップ１３によるプログラム情報の読取り時間よりも長い所定時間の情報を保持することが可能とされている。したがって、ピックアップ１３によるプログラム情報の読取り動作は、「再生」と「ポーズ」の繰り返しによって行われるようになっているため、この「ポーズ」中に読取り制御部１６のコントロールによって選択機構１１が動作し、１枚目のＭＤ１２が収納部１０内に戻されるとともに、２枚目のＭＤ１２が再生位置側に送り出され、ピックアップ１３によって２枚目のＭＤ１２のＴＯＣ情報が読み取られるようになっている。
【００１８】
ＴＯＣ情報の読取りが終了すると２枚目のＭＤ１２が収納部１０内に戻され、１枚目のＭＤ１２が再度再生位置側に送り出されるようになっている。この間、メモリ１４内の情報は、順次復調部１５によって復調されることにより減っていくが、ディスクチェンジは後述するようにメモリ１４内の情報量が所定値を下回る直前までの時間内に行われるようになっている。
【００１９】
ちなみに、ピックアップ１３によって読み取られたＴＯＣ情報は、メモリ１４の所定エリアに保持されるようになっている。なお、この読み取ったＴＯＣ情報は、専用のメモリを用意し、これに保持させるようにしてもよい。
【００２０】
続いて、このような構成のＭＤチェンジャーの動作を、図４及び図５を用いて説明する。
【００２１】
まず、収納部１０内に収納されているＭＤ１２の枚数ｍが検出される（ステップ４０１）。ディスク検出に際しては、たとえば収納部１０内部に収納枚数を検出する検出センサやメカニカルスイッチ等によって検出可能となる。
【００２２】
ＭＤ１２の枚数ｍの検出後、１枚目のＭＤ１２が再生位置側に送られ、クランプが行われると、ピックアップ１３によってＴＯＣ情報が読み取られ、メモリ１４の所定エリアに保持される（ステップ４０２〜４０４）。ここで、ＴＯＣ情報を読み取る場合、ＭＤ１２が録再ディスクの場合には、ユーザＴＯＣ情報も同時に読み取られるようになっている。
【００２３】
１枚目のＭＤ１２のＴＯＣ情報を読み取りが終了すると、引続きプログラム情報である音楽データが読み取られる（ステップ４０５）。読み取られた音楽データは、メモリ１４に満杯になるまで保持されるとともに、順次復調部１５側に送出され、ＡＴＲＡＣの圧縮が解かれた後、図示省略のＤ／ＡコンバータによりＤ／Ａ変換されて出力される（ステップ４０６，４０７）。
【００２４】
このとき、上述したように、ピックアップ１３によるプログラム情報の読取り動作が「ポーズ」中である場合、ディスクチェンジが行われ、２枚目のＭＤ１２のＴＯＣ情報が読み取られる（ステップ４０８，４０９）。
【００２５】
ここで、メモリ１４内に保持されている音楽データの残量をｘとし、ディスクチェンジに要する時間とサーボロック、読取りＯＫまでの時間以上の時間再生できるデータ量のリミット値をｌとしたとき、ｘ≦ｌの場合には１枚目のＭＤ１２にディスクチェンジされる（ステップ４１０，４１２）。これに対して、ｘ＞ｌの場合には、ディスクチェンジされた２枚目のＭＤ１２の全てのＴＯＣ情報が読み取られる（ステップ４１１）。
【００２６】
ＴＯＣ情報の読取りが収納部１０に収納されている全てのＭＤ１２に対して行われると（ｎ＝ｍ）１枚目のＭＤ１２にチェンジされ、通常再生に移行する（ステップ５０１，５０３，５０５）。（ステップ５０１）にてＴＯＣ情報の読取りを終えていないＭＤ１２がある場合には（ステップ５０１，５０２）、（ステップ４１２）に移行する。
【００２７】
図６は、ＭＤ１２の再生中にＴＯＣ情報の読取りが行われていない新たなＭＤ１２が追加された場合の動作を示すものである。
【００２８】
すなわち、まずＭＤ１２の通常再生中に、ＴＯＣ情報の読取りを終えていない新たなＭＤ１２が追加されると、カウント値ｎが１にセットされる（ステップ６０１〜６０３）。ピックアップ１３によって読み取られた音楽データがメモリ１４にて満杯とされると、ディスクチェンジによって新たに追加されたＭＤ１２のＴＯＣ情報の読取りが行われる（ステップ６０４，６０６，６０７）。ここで、メモリ１４内の音楽データの残量がｘ≦ｌの場合にはＰ枚目のＭＤ１２にチェンジされる（ステップ６０９）。これに対して、ｘ＞ｌの場合には、追加されたＭＤ１２のＴＯＣ情報の読取りが続行される（ステップ６１０）。
【００２９】
追加されたＭＤ１２のＴＯＣ情報の読取りが終了し、追加された全てのＭＤ１２のＴＯＣ情報の読取りが終了した場合には、ディスクチェンジによってＰ枚目のＭＤ１２が再生位置側に送り出されるとともに、ＴＯＣ情報の追加表示が行われる（ステップ６１１，６１３，６１４）。これに対し、追加された全てのＭＤ１２のＴＯＣ情報の読取りが終了していない場合、再度Ｐ枚目のＭＤ１２にチェンジされる（ステップ６１２，６０９）。
【００３０】
図７は、以上のようなＴＯＣ情報の読取り動作を、従来の読取り動作と対比させた場合のタイミングチャートを示すものである。
【００３１】
同図（ａ）に示すように、従来では、１枚目のディスクがセットされＴＯＣ情報を読み取られると、ディスクチェンジによって２枚目のディスクのＴＯＣ情報が読み取られ、以降、ディスクチェンジによって順次ＴＯＣ情報の読取りが行われるようになっている。ここで、ＴＯＣ情報の読取り時間はＴR 、ディスクチェンジに要する時間はＴC とされている。
【００３２】
これに対し、同図（ｂ），（ｄ）に示す本実施例では、１枚目のディスクがセットされると、まずＴＯＣ情報の読取りに続いて音楽データの読取りが行われ、同図（ｃ），（ｆ）に示すように、メモリ１４内のデータ量が満杯となると、ピックアップ１３がポーズ状態となり、この間にディスクチェンジが行われ、２枚目のディスクのＴＯＣ情報の読取りが行われる。
【００３３】
ここで、ピックアップ１３がポーズ状態である場合、メモリ１４への再生データの補給が行われないため、メモリ１４内のデータが漸次減っていくが、データ残量がリミット値ｌの直前に達すると、再度１枚目のディスクの再生データが取り込まれ、以降、同様にしてディスクチェンジにより残りのディスクのＴＯＣ情報が読み取られる。このようなディスクチェンジが行われている間にあっては、メモリ１４内のデータの残量がリミット値ｌを下回ることがないため、１枚目のディスクの音楽再生が継続される。
【００３４】
このように、本実施例では、１枚目のディスクのＴＯＣ情報の読取りの後、音楽データの読取りが行われ、メモリ１４内のデータの残量が満杯となると、ピックアップ１３がポーズ状態となり、この間にディスクチェンジが行われ、２枚目のディスクのＴＯＣ情報の読取りが行われる。ピックアップ１３がポーズ状態中にあっては、メモリ１４内のデータが漸次減っていくが、データ残量がリミット値ｌの直前に達すると、再度１枚目のディスクの再生データが取り込まれるようになっており、以降、同様にしてディスクチェンジにより残りのディスクのＴＯＣ情報が読み取られる。
【００３５】
したがって、ディスクチェンジが行われている間にあっては、メモリ１４内のデータの残量がリミット値ｌを下回ることがないため、１枚目のディスクの音楽再生が継続される。
【００３６】
なお、本実施例では、本発明のディスクチェンジャーをＭＤチェンジャーに適用した場合について説明したが、この例に限らずメモリを利用したＣＤチェンジャーに適用してもよい。この場合、規格の線速度よりも早い情報読取りを行わせるためのサーボ手段を設けることにより達成される。
【００３７】
【発明の効果】
以上説明したように、本発明のディスクチェンジャーによれば、複数の記録媒体を再生する際、読取り手段により読み取られたプログラム情報を記憶手段に記憶させ、復調手段によって順次復調させるとともに、記憶手段に記憶されている情報量が所定値に達するまでの間に、識別情報読取り制御手段によって他の記録媒体の識別情報の読取りを行わせるようにしたので、１枚目の記録媒体の情報復調を中断することなしに、他の記録媒体の識別情報の読取りが可能となるので、ディスク交換等に伴うマガジン交換時におけるディスク再生のレスポンスを向上させることができる。
【図面の簡単な説明】
【図１】従来のＣＤプレーヤの構成を簡単に示す図である。
【図２】図１のＣＤプレーヤによるディスク再生方法を模式的に表した図である。
【図３】本発明のディスクチェンジャーをＭＤ（ミニディスク）チェンジャーに適用した場合の一実施例を示す図である。
【図４】図３のＭＤチェンジャーのＴＯＣ情報の読取り動作を説明するためのフローチャートである。
【図５】図３のＭＤチェンジャーのＴＯＣ情報の読取り動作を説明するためのフローチャートである。
【図６】図３のＭＤチェンジャーのＴＯＣ情報の読取り動作を説明するためのフローチャートである。
【図７】図３のＭＤチェンジャーのＴＯＣ情報の読取り動作を、従来の読取り動作と対比させた場合のタイミングチャートを示すものである。
【符号の説明】
１０  収納部
１１  選択機構
１２  ＭＤ
１３  ピックアップ
１４  メモリ
１５  復調部
【図１】
0003739812.tif 000002
【図２】
0003739812.tif 000003
【図３】
0003739812.tif 000004
【図４】
0003739812.tif 000005
【図５】
0003739812.tif 000006
【図６】
0003739812.tif 000007
【図７】
0003739812.tif 000008